(57)【要約】【課題】構成が簡単であり、バランスの良いフラワーアレンジメントを容易に作製できるフラワーアレンジメント法と、それに用いる保持ブロックや教具を提供する。【解決手段】フラワーアレンジメント法は、吸水材のみで構成され、その表面に多数の花材３１〜３４を挿すための複数の位置マーク１６〜１９を適宜間隔を持って形成した保持ブロック１０に、多数の花材を配置保持する。多数の花材を、複数の長さの異なる花材棒を用いて各々の所定長さに切断し、位置マークの位置に切断された花材の各々を挿して配置保持する。位置マーク１６〜１９は、保持ブロック１０の表面からの窪みとして形成されており、花材の端部を窪みに挿し込んで配列する。【選択図】図６
2010057675.tif 000002
【特許請求の範囲】
【請求項１】
吸水材のみで構成される保持ブロックに、多数の花材を配置保持するフラワーアレンジメント法であって、
前記保持ブロックの表面に前記多数の花材を挿すための複数の位置マークを適宜間隔を持って形成し、
前記多数の花材を、各々の所定長さに切断し、前記位置マークの位置に前記切断された花材の各々を挿して配置保持することを特徴とするフラワーアレンジメント法。
【請求項２】
吸水材のみで構成され、その表面に多数の花材を挿すための複数の位置マークを適宜間隔を持って形成した保持ブロックに、前記多数の花材を配置保持するフラワーアレンジメント法であって、
前記多数の花材を、各々の所定長さに切断し、前記位置マークの位置に前記切断された花材の各々を挿して配置保持することを特徴とするフラワーアレンジメント法。
【請求項３】
前記花材の所定長さの切断は、複数の長さの異なる花材棒を用いて行うことを特徴とする請求項１又は２に記載のフラワーアレンジメント法。
【請求項４】
前記保持ブロックは、複数の平面を有する多面体で形成され、前記位置マークは該多面体の平面に形成し、前記平面に直角もしくは直角に近い角度となるように前記多数の花材を前記位置マークの位置に挿して配置保持することを特徴とする請求項１又は２に記載のフラワーアレンジメント法。
【請求項５】
前記位置マークを前記保持ブロックの表面からの窪みとして形成し、前記花材の端部を前記窪みに挿し込んで配置保持することを特徴とする請求項１又は２に記載のフラワーアレンジメント法。
【請求項６】
吸水材のみで構成され、フラワーアレンジメントに用いられる保持ブロックであって、
該保持ブロックは、底面と、該底面に平行な上面と、前記底面に交差する複数の立面と、該複数の立面と前記上面に交差する複数の傾斜面とを有し、
前記上面、複数の立面、複数の傾斜面のうちの選択された面に、多数の花材を挿すための複数の位置マークが形成されていることを特徴とするフラワーアレンジメント用の保持ブロック。
【請求項７】
前記位置マークは、挿される花材の種類に合わせて複数の形状の窪みとして形成されていることを特徴とする請求項６に記載のフラワーアレンジメント用の保持ブロック。
【請求項８】
前記保持ブロックは、前記上面に平行に切断したとき、八角形に形成されることを特徴とする請求項６又は７に記載のフラワーアレンジメント用の保持ブロック。
【請求項９】
吸水材のみで構成し、その表面に多数の花材を挿すための複数の位置マークを形成した保持ブロックと、多数の花材を複数の所定長さに切断するための長さを設定した複数の花材棒と、前記多数の花材を前記保持ブロックに挿して配置保持する手順を示す仕様書と、からなるフラワーアレンジメント用教具。
【請求項１０】
保持ブロックに、多数の花材を配置保持するフラワーアレンジメント法であって、
前記保持ブロックの表面に前記多数の花材を挿すための複数の位置マークを適宜間隔を持って形成し、
前記多数の花材を、各々の所定長さに切断し、前記位置マークの位置に前記切断された花材の各々を挿して配置保持することを特徴とするフラワーアレンジメント法。
【発明の詳細な説明】
【技術分野】
【０００１】
本発明は、フラワーアレンジメント法と、それに用いられる保持ブロック、及びフラワーアレンジメント用教具に係り、特に、初心者でも容易にフラワーアレンジメントを作製できる方法と、それに用いる保持ブロック、及び教具に関する。
【背景技術】
【０００２】
フラワーアレンジメントは、組み合わせによって切り花の観賞価値を高めることができる。色とりどりの花を扱う楽しさも加わって、フラワーアレンジメントに興味を持つ人は女性を中心に少なくない。
【０００３】
従来、この種のフラワーアレンジメント用具として、特許文献１に記載のフラワーアレンジメント用具は、枠状部に支脚を設けた脚付枠状の作業台と、板面を貫通する透孔を形成して該作業台上に水平に載置される板状体と、変形可能にして透孔よりも大きな板状片で、その中央にブーケホルダーの柄部が貫通し得る挿入部を設けると共に外周縁から該挿入部に向けて切込み部を複数設けた補助片と、花材の組付位置マークを板状体の上面に表示する位置マーク表示手段と、を具備し、挿入部に柄部を貫通させて、補助片が取付けられたブーケホルダーの柄部を透孔に上方から下方へ貫挿し、板面下に突き出す該柄部を下方へ引っ張ることにより、補助片が透孔を埋めるように変形して柄部に寄せ付けられてブーケホルダー及び板状体と一体化するものである。
【０００４】
また、他のフラワーアレンジメント用具として、特許文献２に記載のフラワーアレンジメント用具は、支持部材に花を生けるのに使用されるフラワーアレンジメント用教具であって、板状の少なくとも一方の面に花の組付け位置マークを表示した板状体と、該板状体を支持部材又はこれを受ける器に係止する係止手段と、を具備するものがある。
【０００５】
【特許文献１】特開２００７−２７５５６３号公報
【特許文献２】特開２００１−７５４６７号公報
【発明の開示】
【発明が解決しようとする課題】
【０００６】
ところで、前記構造のフラワーアレンジメント用具は、専門スクールに通って完成させるような複雑かつ高度な作品を自宅で作るための補助用具である。全くの初心者や小学生程度の子供、高齢者が実施したくても、それらの用具を使いこなすことは難しい。また、この用具は作業台を含む大がかりなものであるため、一般の人が購入し、使用することは考え難い。
【０００７】
本発明は、このような問題に鑑みてなされたものであって、その目的とするところは、構成が簡単であり、バランスの良いフラワーアレンジメントを容易に作製でき、子供からお年寄りまで、誰でも気軽に楽しめるように工夫されたフラワーアレンジメント法を提供することにある。また、前記のような理由で、フラワーアレンジメントをあきらめていた人や、関心の薄かった人に、フラワーアレンジメントを体験する機会を提供できるフラワーアレンジメント法と、それに用いる保持ブロックや教具を提供することにある。
【課題を解決するための手段】
【０００８】
前記目的を達成すべく、本発明に係るフラワーアレンジメント法は、吸水材のみで構成される保持ブロックに、多数の花材を配置保持するフラワーアレンジメント法であって、前記保持ブロックの表面に前記多数の花材を挿すための複数の位置マークを適宜間隔を持って形成し、前記多数の花材を、各々の所定長さに切断し、前記位置マークの位置に前記切断された花材の各々を挿して配置保持することを特徴としている。ここで、花材とは、茎の先端に花を有する花材だけでなく、花の無い葉物や、他の装飾物等、適宜のものをいう。
【０００９】
前記のごとく構成された本発明のフラワーアレンジメント法は、保持ブロックの表面に複数の位置マークを適宜間隔を持って形成し、多数の花材の各々を所定の長さに切断し、その切断端部を保持ブロックの位置マークに所定の角度で挿し込んで花材を保持ブロックに配置保持するため、花材が保持ブロックから所定の角度でバランス良く配置され、美しいフラワーアレンジメントを容易に作製できる。また、初心者でも安価で時間をかけずにフラワーアレンジメントを気軽に楽しめるので、幅広い消費者層に花を用いた余暇活動を提供し、切り花の消費拡大に貢献できる。
【００１０】
本発明に係るフラワーアレンジメント法の他の態様としては、吸水材のみで構成され、その表面に多数の花材を挿すための複数の位置マークを適宜間隔を持って形成した保持ブロックに、前記多数の花材を配置保持するフラワーアレンジメント法であって、前記多数の花材を、各々の所定長さに切断し、前記位置マークの位置に前記切断された花材の各々を挿して配置保持することを特徴としている。この構成によれば、保持ブロックの表面に予め多数の花材を挿すための複数の位置マークを適宜間隔を持って形成してあるため、各々所定の長さに切断された花材の各々を位置マークの位置に挿して、容易にバランス良く花材を配置保持することができる。
【００１１】
前記花材の所定長さの切断は、複数の長さの異なる花材棒を用いて行うことが好ましい。この構成によれば、多数の花材の各々を、長さの異なる複数の花材棒に合わせて所定の長さに切断でき、多数の花材の各々を決められた長さに設定してバランス良く保持ブロックに配置保持することができる。
【００１２】
また、本発明に係るフラワーアレンジメント法の好ましい具体的な態様としては、前記保持ブロックは、複数の平面を有する多面体で形成され、前記位置マークは該多面体の平面に形成し、前記平面に直角もしくは直角に近い角度となるように前記多数の花材を前記位置マークの位置に挿して配置保持することを特徴としている。この構成によれば、多面体に形成された保持ブロックの複数の平面の位置マークに合わせて、保持ブロックに多数の花材を挿し込むことができ、容易にバランス良く花材を配置保持したフラワーアレンジメントを作製できる。
【００１３】
さらに、本発明に係るフラワーアレンジメント法の好ましい具体的な他の態様としては、保持ブロックに形成される前記位置マークを前記保持ブロックの表面からの窪みとして形成し、前記花材の端部を前記窪みに挿し込んで配置保持することを特徴としている。この構成によれば、保持ブロックの表面から窪んで形成された位置マークに合わせて、花材の先端を窪み内に当てて花材を保持ブロックに容易に挿し込むことができる。
【００１４】
本発明に係るフラワーアレンジメント用の保持ブロックは、吸水材のみで構成され、フラワーアレンジメントに用いられる保持ブロックであって、該保持ブロックは、底面と、該底面に平行な上面と、前記底面に交差する複数の立面と、該複数の立面と前記上面に交差する複数の傾斜面とを有し、前記上面、複数の立面、複数の傾斜面のうちの選択された面に、多数の花材を挿すための複数の位置マークが形成されていることを特徴としている。
【００１５】
前記位置マークは、挿される花材の種類に合わせて複数の形状の窪みとして形成されていることが好ましく、前記保持ブロックは、前記上面に平行に切断したとき、八角形に形成されることが好ましい。このように構成された保持ブロックは、複数の選択された面に形成された位置マークに合わせて花材を挿し込むことにより容易にバランスの良いフラワーアレンジメントを作製できる。位置マークが窪んでいると花材を挿し込みやすく、断面が八角形の保持ブロックでは立体的にバランスの良いフラワーアレンジメントを容易に作製できる。
【００１６】
本発明に係るフラワーアレンジメント用教具は、吸水材のみで構成し、その表面に多数の花材を挿すための複数の位置マークを形成した保持ブロックと、多数の花材を複数の所定長さに切断するための長さを設定した複数の花材棒と、前記多数の花材を前記保持ブロックに挿して配置保持する手順を示す仕様書と、からなることを特徴としている。この構成によれば、複数の長さの異なる花材棒の長さに合わせて花材を切断し、切断した花材を保持ブロックの位置マークに合わせて挿し込むことで、初心者でも容易にバランス良いフラワーアレンジメントを作製できる。
【００１７】
さらに、本発明に係るフラワーアレンジメント法の他の態様としては、保持ブロックに、多数の花材を配置保持するフラワーアレンジメント法であって、前記保持ブロックの表面に前記多数の花材を挿すための複数の位置マークを適宜間隔を持って形成し、前記多数の花材を、各々の所定長さに切断し、前記位置マークの位置に前記切断された花材の各々を挿して配置保持することを特徴とする。このように構成されたフラワーアレンジメント法では、吸水材で構成されない保持ブロックに複数の位置マークを形成し、多数の花材として例えば造花や、プリザーブドフラワー等を、各々の所定長さに切断し、位置マークの位置に切断された花材の各々を挿して配置保持することで、花材が保持ブロックから所定の角度でバランス良く配置され、美しいフラワーアレンジメントを容易に作製できる。
【発明の効果】
【００１８】
本発明によれば、フラワーアレンジメント用教具として吸水材のみで構成され、簡単な構成の保持ブロックを使用し、フラワーアレンジメント用具として、長さの異なる複数の花材棒を用いて花材の長さを所定の長さに揃え、多数の花材を保持ブロックの位置マークの位置にバランス良く挿すことで、容易にフラワーアレンジメントを作製することができる。
【発明を実施するための最良の形態】
【００１９】
以下、本発明に係るフラワーアレンジメント法で用いるフラワーアレンジメント用具の一実施形態を図面に基づき詳細に説明する。図１は、本実施形態に係るフラワーアレンジメント法で用いるフラワーアレンジメント用具として、花材を挿す保持ブロックの斜視図、図２は、図１の平面図、及び側面図、図３は、フラワーアレンジメント用具の１つの花材棒を示す側面図である。
【００２０】
図１〜３において、フラワーアレンジメント用具は、吸水スポンジ等の吸水材のみで構成される保持ブロック１０と、花材を所定の長さに切断するための長さの異なる複数の花材棒２０とから構成される。保持ブロック１０を構成する吸水スポンジは、多孔質の樹脂材から形成される。本実施形態の保持ブロック１０は、水が注入される花器に接する底面１１と、この底面から立ち上がる４つの幅広の立面１２及び４つの幅狭の立面１３と、底面１１と平行な上面１４と、立面１２，１３と上面１４とを連結する４つの傾斜面１５とから構成され、全体として多面体に形成されている。傾斜面１５は水平面に対して４５〜６０度程度の角度が好ましい。保持ブロック１０は、例えばフェノール樹脂の多孔質体から形成されるが、樹脂はこれに限られるものでない。
【００２１】
底面１１は平坦面であり、底面１１と立面１２及び１３とは直角より僅かに大きい角度で交差し、上方に向けて広がっている。また、傾斜面１５と上面１４とは約４５〜６０度程度の角度で交差している。４つの幅広の立面１２はそれぞれが９０度の角度で直交するように位置しており、４つの幅狭の立面１３は４つの幅広の立面１２と４５度の角度で交差するように構成されている。この結果、保持ブロック１０を底面１１、あるいは上面１４に平行に切断した場合、切断面は八角形となる。なお、底面１１と立面１２及び１３とは直角で交差するように構成してもよい。
【００２２】
保持ブロック１０の選択された面、すなわち、多面体の平面には、花材を挿すための目安となる多数の位置マークが適宜の間隔を持って形成されている。位置マークは形成される面の広さによって１つでも複数個を形成してもよい。上面１４には５個の位置マークが、さいころの「５」を示す位置に配置されている。すなわち、正方形の４つの頂点より内方の位置と、正方形の中心の位置の５個所に位置マークが形成されている。位置マークとしては、花材の例えば茎を挿し込みやすいように丸印が好ましいが他の形状でもよい。前記の適宜の間隔とは、隣接する位置マーク同士が極度に接近することがなく、極度に離れることがないようにバランス良く配置されることである。
【００２３】
本実施形態の保持ブロック１０は上面１４が四角形に形成され、上面の四角形の角部に近接する４個所には三角形の位置マーク１６が形成され、四角形の中心には円形の位置マーク１７が形成されている。また、上面の四角形に連続する４つの傾斜面１５には、それぞれの中央部に円形の位置マーク１８が形成されている。さらに、４つの幅狭の立面１３には、傾斜面１５に近接して四角の位置マーク１９が形成されている。
【００２４】
これらの位置マーク１６〜１９は、断面が円形の棒や、四角形、三角形の棒を保持ブロックを構成する吸水スポンジの表面に押し付けて、その表面から深さ２ｍｍ程度の窪みをつけ、段差部で形成している。なお、位置マークは段差部に限らず、マーカー等で表面に記述して形成することもできる。また、位置マークを複数の色で分けて形成し、色分けされた位置マークに合わせて挿す花材を分けるようにしてもよい。さらに、窪みを付ける場合に、例えば釘の頭部の円形を用いて保持ブロックを押圧して円形の位置マーク１７，１８を形成し、頭部の円形をやすり等で成形して三角形や四角形とし、この頭部を吸水スポンジの表面に押し付けて位置マーク１６，１９を形成してもよい。
【００２５】
フラワーアレンジメント用具を構成する花材棒２０は、図３に示されるように、複数の長さの異なる棒であり、本実施形態では、例えば１０ｃｍ、７ｃｍ、５ｃｍの長さの３種類の木製、あるいは樹脂製の棒材で形成されている。１０ｃｍの長棒２１と、７ｃｍの中棒２２と、５ｃｍの短棒２３があり、それぞれ黒、青、赤等に色分けされている。なお、花材棒の本数や長さは、花材の種類および保持ブロック１０の大きさに合わせて適宜設定される。
【００２６】
本実施形態のフラワーアレンジメント用教具は、吸水材のみで構成し、その表面に多数の花材を挿すための複数の位置マークを形成した保持ブロック１０と、複数の花材棒２０と、多数の花材を保持ブロック１０に挿して配置保持する手順を示す仕様書とから構成される。仕様書は、手順１として、花と葉の切り方を示している。この切り方は、花材をいずれかの花材棒に合わせて所定の長さに切断するように示している。例えば、メインとなる花材や葉物を１番長い花材棒２１に合わせて切断し、サブとなる花材や葉物を２番目の長さの花材棒に合わせて切断するように示している。
【００２７】
また、手順２として、保持ブロック１０への花材の挿し方について説明している。吸水スポンジ等からなる保持ブロック１０に水を含ませ、花材と葉物の挿し方の手順を示している。例えば、（１）として、円形の位置マーク１７，１８にクリーム色のバラ３１を挿し、三角の位置マーク１６にピンク色のスターチス３２を挿すことが記載されている。また、（２）として、四角の位置マーク１９に濃い緑色の葉物３３を挿し、（４）として、黄緑色の葉物３４を挿された葉物と花との間に挿し、保持ブロック１０の表面が葉物で隠れたら完成です、と記載されている。このように、フラワーアレンジメントの手順を示す仕様書をフラワーアレンジメント用教具と共に提供することで、全くの初心者や小学生程度の子供、高齢者であっても、花材が容易にバランス良く配置保持されたフラワーアレンジメントを作製することができる。
【００２８】
前記の如く構成された本実施形態のフラワーアレンジメント用具を用いた花材の配置保持動作、すなわち、フラワーアレンジメント法について、図４から９を参照して以下に説明する。まず、仕様書の手順１に示されるように、花材３０として、例えば５本のクリーム色のバラ３１と、４本のピンク色のスターチス３２と、４本の濃い緑色の葉物３３と、８〜１０本程度の黄緑色の葉物３４を用いてフラワーアレンジメントを作製する例を示す。
【００２９】
先ず、図４，５に示すように、仕様書の手順１にしたがって、花と葉物を所定の長さに切断する。５本のクリーム色のバラ３１と、４本の濃い緑色の葉物３３を黒色の長棒２１に合わせて約１０ｃｍの長さに切断する。そして、４本のピンク色のスターチス３２と、８〜１０本の黄緑色の葉物３４を青色の中棒２２に合わせて約７ｃｍの長さに切断する。この実施形態では、花材は２本の花材棒によって、各々所定の長さに設定される。
【００３０】
つぎに、図６に示すように、仕様書の手順２にしたがって、水を含ませた吸水スポンジからなる保持ブロック１０に、所定の長さに切断した花材として花と葉物を挿し込む。クリーム色のバラ３１を上面１４の中央の位置マーク１７の窪みに合わせて保持ブロック１０に押し付け、上面１４に直角に、もしくは直角に近い角度で、上面に交差するようにクリーム色のバラを挿し込んでいく。また、クリーム色のバラ３１を４本、傾斜面１５の中央の位置マーク１８の窪みに合わせて保持ブロック１０に押し付け、傾斜面１５に直角に、もしくは直角に近い角度で、傾斜面に交差するようにクリーム色のバラを挿し込む。
【００３１】
そして、上面１４の四隅にある４つの位置マーク１６の窪みに、４本のピンク色のスターチス３２を押し付け、上面１４に直角に、あるいは直角に近い角度で、上面に交差するように挿し込む。その後、図７に示すように、４本の濃い緑色の葉物３３を幅狭の立面１３の四角の位置マーク１９の窪みに合わせて押し付け、立面１３に直角、もしくは直角に近い角度で葉物３３を挿し込む。さらに、図８，９に示すように、８〜１０本の黄緑色の葉物３４を、挿し込んだ花の隙間に挿し込み、保持ブロック１０の表面が隠れるようにする。そして、図９のように、四方の側面図を見ながら、上面と傾斜面に挿したクリーム色のバラの間に、ピンク色のスターチスが見えるよう最後に微調整することで、バランスの良いフラワーアレンジメントを作製することができる。なお、図８，９では、説明のために保持ブロックの表面が現れているが、実際には表面が露出しないように花や葉物を挿し込むことが好ましい。黄緑色の葉物３４も、直角、あるいは直角に近い角度で挿し込んでもよい。
【００３２】
このように、花材３０として、５本のクリーム色のバラ３１と、４本のピンク色のスターチス３２と、４本の濃い緑色の葉物３３と、８〜１０本の黄緑色の葉物３４とを、保持ブロック１０の面に交差するように挿し込むことでバランス良く挿し込むことができ、均整の取れたフラワーアレンジメントを作製できる。なお。前記の実施形態では、花材を保持ブロックに挿し込む順序として、クリーム色のバラ３１、ピンク色のスターチス３２、濃い緑色の葉物３３、黄緑色の葉物３４の順序を示したが、挿し込む順序は前記に限られるものでない。
【００３３】
本発明の第１の発明の場合の動作説明は、前記した動作説明の前工程として、保持ブロックの表面に多数の花材を挿すための複数の位置マークを適宜間隔を持って形成する工程を備える。すなわち、前工程として、吸水材のみで構成された保持ブロック１０の表面に、適宜の間隔を持って複数の位置マーク１６〜１９を形成する。適宜の間隔とは、挿される花や葉物の大きさによって異なるが、隣接する位置マーク同士が極端に接近することなく、極端に離れることがないように形成され、これらの位置マークに合わせて花材を挿し込むと、花材同士がバランス良く配置保持されるような間隔である。この工程の後は、前記のように、多数の花材を、花材棒２０を用いて各々の所定長さに切断し、位置マークの位置に切断された花材の各々を挿して配置保持する工程が続くが、これらの説明は重複するので省略する。
【００３４】
つぎに、本発明のフラワーアレンジメント用具の他の実施形態の保持ブロックを図１０に基づき詳細に説明する。図１０は本発明に係るフラワーアレンジメント法に用いる保持ブロックの他の実施形態の斜視図である。なお、この実施形態は前記した実施形態が直方体に近い形状であるのに対し、球体に近い形状であることを特徴とする。そして、他の実質的に同等の構成については同じ符号を付して詳細な説明は省略する。
【００３５】
図１０において、保持ブロック４０は吸水材で構成され、上面が半球形の形状をしており、下方は直方体状となっている。すなわち、底面４１は正方形であり、上面４２は半球面で形成され、４つの立面４３で底面と上面が連結されている。そして、上面４２には、頂部に円形の位置マーク４５が窪んだ状態で形成され、その周囲には４つの円形の位置マーク４６が上から見て９０度間隔で窪んで形成され、さらにそれらの間に４つの四角形の位置マーク４７が同様に９０度間隔で窪んで形成されている。また、立面４３に三角形の位置マーク４８を形成してもよい。
【００３６】
この実施形態においても、前記のように形成された保持ブロック４０では、頂部の位置マーク４５の周囲に円形の位置マーク４６が等間隔で配置され、さらにそれらの間に同様に等間隔で四角形の位置マーク４７が配置されているため、これらの位置マークに合わせて、花材棒で長さを揃えた花材を保持ブロック４０に、面に直角に、あるいは直角に近い角度で挿し込むだけで、花材はバランス良く挿し込まれ、フラワーアレンジメントをバランス良く容易に作製できる。
【００３７】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、花材棒の長さを、長棒、中棒、短棒の３種類とし、１０ｃｍ、７ｃｍ、５ｃｍの長さの例を示したが、これに限られるものでなく、花材の種類やアレンジメントのデザイン構成等により長さを適宜設定できるものである。また、花材棒の色についても、適宜設定できるものである。
【００３８】
花材を保持する吸水スポンジから形成された保持ブロックの形状や大きさは、前記した直方体状、球体状に限られるものでなく、水が注入される容器やアレンジメントのデザイン等に合わせて適宜設定できるものである。フラワーアレンジメント法で用いる花材として、花材と葉材の例を示したが、これらに限られるものでなく、例えば装飾用の材料や単なる棒材等を用いてフラワーアレンジメントを作製することもできる。
【００３９】
さらに、保持ブロックとして、吸水性を有する吸水材のみで構成される保持ブロックの例を示したが、吸水性がない発泡スチロール等の樹脂材を使用した樹脂ブロックを使用して多数の花材を配置保持するように構成してもよい。また、花材として、造花、ドライフラワー、プリザーブドフラワー等を使用し、吸水性を有する保持ブロックや、吸水性のない樹脂ブロックに配置保持するように構成してもよい。
【産業上の利用可能性】
【００４０】
本発明の活用例として、このフラワーアレンジメント法や、保持ブロック、フラワーアレンジメント用具を用いて各種の花材を用いてバランス感覚の優れたフラワーアレンジメントを作製することができる。
【図面の簡単な説明】
【００４１】
【図１】本発明に係るフラワーアレンジメント法に用いる保持ブロックの一実施形態の斜視図。
【図２】（ａ）は図１の保持ブロックの平面図、（ｂ）はその側面図。
【図３】花材棒の正面図。
【図４】花材棒に合わせて切断した花材と葉材の正面図。
【図５】他の花材棒に合わせて切断した他の花材と葉材の正面図。
【図６】本発明に係るフラワーアレンジメント法によるフラワーアレンジメント作製手順を示す平面図。
【図７】図６に続くフラワーアレンジメント作製手順を示す平面図。
【図８】図７に続くフラワーアレンジメント作製手順を示す完成した状態の平面図。
【図９】図８の側面図。
【図１０】本発明に係る保持ブロックの他の実施形態を示し、（ａ）は斜視図、（ｂ）はその平面図。
【符号の説明】
【００４２】
１０：保持ブロック、１１：底面、１２，１３：立面、１４：上面、１５：傾斜面、１６，１７，１８，１９：位置マーク、２０：花材棒、２１：長棒、２２：中棒、２３：短棒、３０：花材、３１，３２：花、３３，３４：葉物、４０：保持ブロック、４１：底面、４２：上面（半球面）、４３：立面、４５，４６，４７，４８：位置マーク
【図１】
2010057675.tif 000003
【図２】
2010057675.tif 000004
【図３】
2010057675.tif 000005
【図４】
2010057675.tif 000006
【図５】
2010057675.tif 000007
【図６】
2010057675.tif 000008
【図７】
2010057675.tif 000009
【図８】
2010057675.tif 000010
【図９】
2010057675.tif 000011
【図１０】
2010057675.tif 000012